(57)【要約】【課題】歯車を抜け止めして支持でき、簡易な構成を有する駆動ユニット及び画像形成装置を提供する。【解決手段】駆動ユニット４０は、第１のベース部材４１に突設された固定軸６０に回転可能に支持される歯車５５と、歯車５５を覆うように前記第１のベース部材４１に対向して設置される第２のベース部材２ａと、を備える。第１のベース部材４１には、歯車５５が係止されて抜け止めされると共に第２のベース部材２ａに係止される係止片８０が設けられている。【選択図】図８
2016180489.tif 000002
【特許請求の範囲】
【請求項１】
第１のベース部材に突設された固定軸に回転可能に支持される歯車と、該歯車を覆うように前記第１のベース部材に対向して設置される第２のベース部材と、を備え、
前記第１のベース部材には、前記歯車が係止されて抜け止めされると共に前記第２のベース部材に係止してスナップフィット結合される係止片が設けられていることを特徴とする駆動ユニット。
【請求項２】
前記係止片は、
前記第２のベース部材に向かって片持ち状に延設され、先端部の一方側に突設されて前記歯車に係止可能な第１の爪部と、他方側に突設されて前記第２のベース部材に係止可能な第２の爪部と、を有し、
前記歯車を前記固定軸に支持させる時に、前記他方側へ弾性変形し、
前記第２のベース部材を設置する時に、前記一方側へ弾性変形するように構成されていることを特徴とする請求項１に記載の駆動ユニット。
【請求項３】
前記第２のベース部材には、前記固定軸の先端を位置決めする位置決め部と、前記係止片が遊貫する開口部と、が形成されており、
前記第２の爪部は前記開口部から突き出て該開口部の縁に係止し、前記第１の爪部は前記固定軸の軸方向から見て前記歯車に重合することを特徴とする請求項１又は２に記載の駆動ユニット。
【請求項４】
請求項１〜３のいずれか１項に記載の駆動ユニットを備えていることを特徴とする画像形成装置。
【発明の詳細な説明】
【技術分野】
【０００１】
本発明は、回転体に駆動力を伝達する駆動ユニット及びその駆動ユニットを備えた画像形成装置に関する。
【背景技術】
【０００２】
プリンターや複合機等の画像形成装置には、感光体ドラムや現像器、搬送ローラーなどの複数の回転体に駆動源から駆動力を伝達するために、歯車やクラッチ等で構成された駆動ユニットが設けられている。このような駆動ユニットにおいては、歯車が固定軸に片持ち式に支持される場合があるが、このように歯車を片持ち式に支持すると、組み立て中に固定軸に挿入した歯車が脱落しやすいという問題がある。
【０００３】
このような問題に対して、特許文献１には、弾性変形可能な爪状突起を固定軸の近傍に設け、固定軸に支持された歯車を爪状突起に係止させて抜け止めした駆動ユニットが開示されている。また、特許文献２には、水平な係止部を有する垂直壁を設け、歯車につば部を設けて係止部に係止されるように構成された駆動ユニットが開示されている。
【先行技術文献】
【特許文献】
【０００４】
【特許文献１】特開２０００−３２１８３６号公報
【特許文献２】特開２００１−０２１０２３号公報
【発明の概要】
【発明が解決しようとする課題】
【０００５】
ところで、駆動ユニットが画像形成装置の筐体に着脱可能に装着される場合、駆動ユニットと筐体とにはそれぞれ互いに係合する係合部や仮留め部が形成されている。駆動ユニットに、特許文献１や特許文献２に記載されている爪状突起や垂直壁等を設け、さらに、筐体との係合部や仮留め部を設けた場合、駆動ユニットの構造が複雑になったり、組み立て工程が増えたりするという問題がある。
【０００６】
そこで、本発明は上記事情を考慮し、歯車を抜け止めして支持でき、簡易な構成を有する駆動ユニット及び画像形成装置を提供することを目的とする。
【課題を解決するための手段】
【０００７】
上記した目的を達成するために、本発明の駆動ユニットは、第１のベース部材に突設された固定軸に回転可能に支持される歯車と、該歯車を覆うように前記第１のベース部材に対向して設置される第２のベース部材と、を備え、前記第１のベース部材には、前記歯車が係止されて抜け止めされると共に前記第２のベース部材に係止してスナップフィット結合される係止片が設けられていることを特徴とする。
【０００８】
このような構成を採用することにより、第１のベース部材や第２のベース部材の構成を簡易化できる。
【０００９】
本発明の駆動ユニットにおいて、前記係止片は、前記第２のベース部材に向かって片持ち状に延設され、先端部の一方側に突設されて前記歯車に係止可能な第１の爪部と、他方側に突設されて前記第２のベース部材に係止可能な第２の爪部と、を有し、前記歯車を前記固定軸に支持させる時に、前記他方側へ弾性変形し、前記第２のベース部材を設置する時に、前記一方側へ弾性変形するように構成されていることを特徴としても良い。
【００１０】
このような構成を採用することにより、第２の爪部を第２のベース部材に係止させる際に、固定軸からの歯車の脱落を防止できる。
【００１１】
本発明の駆動ユニットにおいて、前記第２のベース部材には、前記固定軸の先端を位置決めする位置決め部と、前記係止片が遊貫する開口部と、が形成されており、前記第２の爪部は前記開口部から突き出て該開口部の縁に係止し、前記第１の爪部は前記固定軸の軸方向から見て前記歯車に重合することを特徴としても良い。
【００１２】
このような構成を採用することにより、固定軸に支持された歯車を安定に駆動させることができ、簡易な構成で第２の爪部を第２のベース部材に係止させることができる。
【００１３】
本発明の画像形成装置は、上記のいずれかに記載の駆動ユニットを備えていることを特徴とする。
【発明の効果】
【００１４】
本発明によれば、単一の係止片によって、歯車の抜け止めと駆動ユニットの仮留めとを行うことができるので、駆動ユニットの構成を簡易化できる。
【図面の簡単な説明】
【００１５】
【図１】本発明の一実施形態に係るプリンターの全体の構成を模式的に示す正面図である。
【図２】本発明の一実施形態に係るプリンターにおいて、筐体の後板を前側から見た斜視図である。
【図３】本発明の一実施形態に係るプリンターにおいて、駆動ユニットの前側から見た斜視図である。
【図４】本発明の一実施形態に係るプリンターにおいて、駆動ユニットの外板を後側から見た斜視図である。
【図５】本発明の一実施形態に係るプリンターにおいて、駆動ユニットの外板を前側から見た斜視図である。
【図６】本発明の一実施形態に係るプリンターにおいて、駆動ユニットの内板を前側から見た斜視図である。
【図７】本発明の一実施形態に係るプリンターにおいて、係止片を示す側断面図である。
【図８】本発明の一実施形態に係るプリンターにおいて、係止片で仮留めされた駆動ユニットと筐体とを示す側断面図である。
【発明を実施するための形態】
【００１６】
以下、図面を参照しつつ、本発明の一実施形態に係る画像形成装置について説明する。
【００１７】
まず、図１を参照して、画像形成装置としてのプリンター１の全体の構成について説明する。図１は、本発明の一実施形態に係るプリンターの概略を示す模式図であり、以下の説明では、図１における紙面手前側を、プリンター１の正面側（前側）とし、左右の向きはプリンター１を正面から見た方向を基準とする。
【００１８】
プリンター１は、中空部を有する略直方体形状の筐体２を備えている。筐体２の内部には、下方に用紙を収納した給紙カセット３が着脱自在に装着されている。給紙カセット３の右上方には、給紙カセット３から用紙を給紙する給紙装置４が設けられている。給紙装置４は、ピックアップローラーと、対向して配置された給紙ローラー及び分離ローラーと、を備える。また、給紙装置４の右側には、手差しトレイ５が回動可能に支持されており、手差しトレイ５の内側には手差し用給紙ローラー６が分離ローラーと対向して備えられている。
【００１９】
給紙装置４の上方には、画像形成部８が設けられている。画像形成部８には、感光体ドラム９が回転可能に設けられ、感光体ドラム９の周囲には、帯電装置１０と、現像装置１１と、転写ローラー１２と、クリーニング装置１３とが、感光体ドラム９の回転方向（図１の矢印Ｘ参照）に沿って配置されている。現像装置１１は、トナーコンテナ１４と接続している。また、画像形成部８の左方には、レーザー・スキャニング・ユニット（ＬＳＵ）で構成される露光器１５が備えられている。
【００２０】
画像形成部８の上方には、定着装置１６が備えられている。定着装置１６には、対向して配置される加熱ローラーと加圧ローラーとを有し、それぞれ回転可能に支持されている。定着装置１６の左方には排紙部１７が設けられており、排紙部１７は筐体２の上面に形成された排紙トレイ１８に面している。
【００２１】
また、筐体２の内部には、給紙装置４から、感光体ドラム９と転写ローラー１２との間に形成される転写部２０と定着装置１６を通って排紙部１７へ向かう用紙の主搬送経路２１が設けられている。主搬送経路２１には、給紙装置４と転写部２０との間に、レジストローラー対２３が配置されている。また、主搬送経路２１には、給紙装置４とレジストローラー対２３との間に、手差しトレイ５から延びる手差し用搬送経路２５が合流している。さらに、主搬送経路２１は、定着装置１６の下流側で両面印刷経路２６に分岐しており、両面印刷経路２６は、給紙装置４とレジストローラー対２３の間で主搬送経路２１に合流している。両面印刷経路２６には、搬送ローラー対２７が設けられている。
【００２２】
次に、このような構成を備えたプリンター１の画像形成動作について説明する。帯電装置１０によって感光体ドラム９の表面が帯電された後、露光器１５からのレーザー光（矢印Ｐ参照）により感光体ドラム９に対して画像データに対応した露光が行われ、感光体ドラム９の表面に静電潜像が形成される。静電潜像は現像装置１１によりトナー像に現像される。感光体ドラム９上に残留したトナーはクリーニング装置１３によって除去される。
【００２３】
一方、給紙装置４においては、ピックアップローラーによって給紙カセット３内の最上位の用紙が給紙ローラーと分離ローラーとの間で捌かれた後、主搬送経路２１に送り出される。あるいは、手差しトレイ５から供給された用紙が手差し用搬送経路２５を通って手差し用給紙ローラー６によって送り出される。送り出された用紙は、レジストローラー対２３によって上記した画像形成動作とタイミングを合わせて転写部２０へ搬送され、転写部２０において、感光体ドラム９上のトナー像が用紙に転写される。トナー像を転写された用紙は、主搬送経路２１を下流側へと搬送されて定着装置１６に進入し、定着装置１６において用紙にトナー像が定着される。トナー像が定着された用紙は、排紙部１７から排紙トレイ１８に排出される。
【００２４】
両面印刷が行われる場合は、定着装置１６を通過した用紙は排紙部１７でスイッチバックされて両面印刷経路２６に進入し、両面印刷経路２６を搬送されることで表裏が反転する。表裏が反転した用紙は、搬送ローラー対２７によって搬送されて主搬送経路２１に再度進入し、転写部２０で裏側の面にトナー画像が転写され、定着装置１６で定着された後、排紙部１７から排出される。
【００２５】
さらに、プリンター１には、給紙装置４、手差し用給紙ローラー６、現像装置１１、定着装置１６、レジストローラー対２３、搬送ローラー対２７に駆動源から駆動力を伝達する駆動ユニット４０が設けられている。駆動ユニット４０は、筐体２の後板２ａ（第２のベース部材）に着脱可能に装着される。
【００２６】
次に、図２を参照して、筐体２の後板２ａについて説明する。図２は筐体の後板をプリンターの前側から見た斜視図である。後板２ａは長方形状の板金部材であり、前述したプリンター１の構成要素が取り付けられる取付部や開口が、構成要素のそれぞれに対応する位置に形成されている。具体的には、給紙装置４に対応する位置には第１開口３１が形成され、手差し用給紙ローラー６に対応する位置には第２開口３２が形成され、現像装置１１に対応する位置には第３開口３３が形成され、感光体ドラム９に対応する位置には第４開口３４が形成され、定着装置１６に対応する位置には第５開口３５が形成され、レジストローラー対２３に対応する位置には第６開口３６（位置決め部）が形成され、搬送ローラー対２７に対応する位置には第７開口３７が形成されている。さらに、第６開口３６の左側には、第８開口３８が形成されている。
【００２７】
次に、図３を参照して、駆動ユニット４０について説明する。図３は駆動ユニットをプリンターの前側から見た斜視図である。駆動ユニット４０は、前後方向に扁平な略直方体状のハウジング４１（第１のベース部材）を有する。ハウジング４１は、対向して配置される外板４２及び内板４３で構成される。外板４２及び内板４３は、例えば合成樹脂で形成されている。
【００２８】
図４及び図５を参照して、外板４２について説明する。図４は外板をプリンターの後側から見た斜視図であり、図５は外板をプリンターの前側から見た斜視図である。
【００２９】
図４に示されるように、外板４２の後側の面には、感光体ドラム９の回転軸に対応する位置に、支持板４５に固定されたモーター４６が取り付けられている。
【００３０】
図５に示されるように、外板４２の前側の面には、モーター４６と同軸に設けられたモーター歯車４９と噛み合う駆動歯車４８が回転可能に支持されている。さらに、外板４２の前側の面には、給紙装置４の給紙ローラーに連結される給紙ローラー回転軸５１が設けられていると共に、手差し用給紙ローラー駆動歯車５２、現像装置駆動歯車５３、定着装置１６の加熱ローラー駆動歯車５４、レジストローラー対駆動歯車５５、搬送ローラー対駆動歯車５６が、それぞれ回転可能に支持される固定軸５７、５８、５９、６０、６１が立設されている。各固定軸は筒状であり、先端は先細の形状を有する。
【００３１】
さらに、外板４２の前側の面には、給紙ローラー回転軸５１、手差し用給紙ローラー駆動歯車５２、現像装置駆動歯車５３、定着装置１６の加熱ローラー駆動歯車５４、レジストローラー対駆動歯車５５、搬送ローラー対駆動歯車５６のそれぞれと駆動歯車４８との間に介される複数の歯車が回転可能に支持されるピンが立設されている。さらに、外板４２の前側の面には、周縁に沿ってビス孔が形成されたボス６３が複数個立設されている。
【００３２】
図６を参照して、内板４３について説明する。図６は、内板をプリンターの前側から見た斜視図である。
【００３３】
内板４３には、駆動歯車４８の回転軸４８ａ、給紙ローラー回転軸５１、手差し用給紙ローラー駆動歯車５２、現像装置駆動歯車５３、定着装置１６の加熱ローラー駆動歯車５４、レジストローラー対駆動歯車５５、搬送ローラー対駆動歯車５６に対応する位置に、それぞれ開口部６５、６６、６７、６８、６９、７０、７１が形成されている。これらの開口部のうち、手差し用給紙ローラー駆動歯車５２、現像装置駆動歯車５３、加熱ローラー駆動歯車５４、搬送ローラー対駆動歯車５６のそれぞれに対応する位置に形成された開口部６７、６８、６９、７１には、有底円筒状の収容部７３、７４、７５、７６が周縁に沿って前方に突出するように形成されている。各収容部の側面の一部には切り欠きが形成されている。
【００３４】
さらに、レジストローラー対駆動歯車５５に対応する位置に形成された開口部７０には、周縁の一部から前方（筐体２の後板２ａに向かう方向）に片持ち状に延設された係止片８０が形成されている。
【００３５】
図７を参照して、係止片８０について説明する。図７は係止片の断面図である。係止片８０は、開口部７０の周縁に沿うように設けられて、固定軸６０の軸方向に長く開口部７０の径方向に扁平な長方形状を有し、開口部７０の側（一方側）及び開口部７０と反対の側（他方側）の両方向へ弾性変形可能に形成されている。係止片８０には、開口部７０側の面に、先端よりもやや下方から第１の爪部８１が略直角となるように突設されている。また、係止片８０には、開口部７０と反対側の面において、第１の爪部８１よりも高い位置から第２の爪部８２が突設されている。第２の爪部８２は、係止片８０の先端から下外方向に斜めに傾斜した傾斜面８２ａを有する。
【００３６】
さらに、係止片８０の外側には、係止片８０と所定の間隔を開けて当たり止め８３が形成されている。当たり止め８３は、係止片８０よりも高さが低い長方形状の形状を有する。当たり止め８３には、係止片８０と反対側の面の両側端部と内板４３の外面との間に、それぞれリブ８４が形成されている。
【００３７】
また、内板４３の前側の面には、図６に示されるように、駆動歯車４８の回転軸４８ａに対応する開口部６５の周囲に、感光体ドラム９を位置決めするための筒部８７が形成されている。さらに、内板４３の前側の面には、外板４２に形成されたビス取付用のボス６３に対応するように、周縁に沿ってビス取付部８８が形成されている。
【００３８】
上記構成を有する駆動ユニット４０を組み立てる際は、まず、手差し用給紙ローラー駆動歯車５２、現像装置駆動歯車５３、定着装置１６の加熱ローラー駆動歯車５４、レジストローラー対駆動歯車５５、搬送ローラー対駆動歯車５６を、外板４２の内面に立設されたそれぞれに対応する固定軸５７、５８、５９、６０、６１に支持させる。また、各歯車と駆動歯車との間に介装される歯車を噛み合わせながら各ピンに支持させる。
【００３９】
そして、外板４２に内板４３を重ね合せると、図３に示されるように、給紙ローラー回転軸５１は、内板４３の開口部６６から突き出て、駆動歯車４８の回転軸４８ａは、開口部６５から筒部８７内に突き出る。また、手差し用給紙ローラー駆動歯車５２、現像装置駆動歯車５３、加熱ローラー駆動歯車５４、搬送ローラー対駆動歯車５６は、内板４３に形成された各開口部６７、６８、６９、７１からそれぞれ収容部７３、７４、７５、７６に入り込む。これにより、各歯車５２、５３、５４、５６は、外板４２と内板４３との間において固定軸５７、５８、５９、６１から抜け止めされると共に、収容部７３、７４、７５、７６の切り欠きから歯車の一部が露出する。また、レジストローラー対駆動歯車５５は、内板４３の開口部７０から露出する。ここで、図７に示されるように、固定軸６０の軸方向から見て、係止片８０の第１の爪部８１とレジストローラー対駆動歯車５５の周縁の一部とは重なっており、レジストローラー対駆動歯車５５は第１の爪部８１により固定軸６０から抜け止めされる。また、第１の爪部８１とレジストローラー対駆動歯車５５との間には隙間が開いており、レジストローラー対駆動歯車５５が固定軸６０の先端側にスライドすると、レジストローラー対駆動歯車５５は第１の爪部８１に係止される。
【００４０】
その後、内板４３の各ビス取付部８８にビスを挿通して、外板４２の各ボス６３のビス孔に締結させて、内板４３と外板４２とを固定する。
【００４１】
なお、レジストローラー対駆動歯車５５は、外板４２と内板４３とを固定した後で、開口部７０を通して固定軸６０に挿通させることもできる。この場合は、係止片８０を開口部７０と反対の側（他方側）に弾性変形させることで、レジストローラー対駆動歯車５５は固定軸６０に挿通可能となる。レジストローラー対駆動歯車５５を固定軸６０に挿通させた後、係止片８０の変形を解除すると、レジストローラー対駆動歯車５５は係止片８０の第１の爪部８１によって固定軸６０から抜け止めされる。
【００４２】
このように組み立てられた駆動ユニット４０は、プリンター１の筐体２の後板２ａに装着される。駆動ユニット４０が所定の位置に位置決めされると、給紙ローラー回転軸５１は、後板２ａの第１開口３１から突出し、筒部８７は、第４開口３４から突出する。さらに、各収容部７３、７４、７５、７６はそれぞれ開口３２、３３、３５、３７に係合する。
【００４３】
駆動ユニット４０を後板２ａに装着する際の係止片８０の挙動について、図８を参照して説明する。係止片８０は先端から第８開口３８に入り込み、やがて、第２の爪部８２の傾斜面８２ａが第８開口３８の周縁に当接し、図８の二点鎖線で示されるように、周縁で押されて開口部７０の方向（一方側）に弾性変形しながら第８開口３８に挿入される。第２の爪部８２が完全に第８開口３８に挿入されると、係止片８０は元の形状に復帰し、第２の爪部８２が第８開口３８の周縁にスナップフィット結合する。また。固定軸６０の先端は第６開口３６に支持される。この際、当たり止め８３によって係止片８０の第８開口３８への過度の挿入が防止される。
【００４４】
このように、各収容部７３、７４、７５、７６がそれぞれ開口３２、３３、３５、３７に係合し、係止片８０の第２の爪部８２が開口３８に係止されることで、駆動ユニット４０が筐体２の後板２ａに仮留めされる。その後、ハウジング４１を後板２ａにビス締結する。
【００４５】
駆動ユニット４０が後板２ａに取り付けられると、給紙ローラー回転軸５１は給紙装置４の回転軸に設けられた歯車と噛み合う。手差し用給紙ローラー駆動歯車５２は、手差し用給紙ローラー６と噛み合い、筒部８７には、感光体ドラム９の支軸が位置決めされる。さらに、現像装置駆動歯車５３は、現像装置１１の支軸に設けられた歯車と噛み合い、加熱ローラー駆動歯車５４は、定着装置１６の加熱ローラーに設けられた歯車と噛み合い、レジストローラー対駆動歯車５５は、レジストローラー対２３に設けられた歯車と噛み合い、搬送ローラー対駆動歯車５６は、搬送ローラー対２７に設けられた歯車と噛み合う。
【００４６】
そして、駆動ユニット４０のモーター４６を駆動させると、モーター歯車４９、駆動歯車４８等を介して、給紙装置４、手差し用給紙ローラー６、現像装置１１、定着装置１６、レジストローラー対２３、搬送ローラー対２７が、それぞれ所定の方向に所定の回転速度で回転する。
【００４７】
上記説明したように本発明のプリンター１においては、駆動ユニット４０を組み立てる際に、レジストローラー対駆動歯車５５のような片持ち式に支持される歯車が、係止片８０によって固定軸６０から抜け止めされると共に、係止片８０がハウジング４１の仮留めとして使用されるので、駆動ユニット４０の構成を簡易化できる。
【００４８】
ただし、外板４２に設けられた収容部７３、７４、７５、７６も、歯車の抜け止めと共に駆動ユニット４０を筐体２に装着する際のハウジング４１の仮留めとして使用されている。ただし、係止片８０で歯車を抜け止めした場合は、ハウジング４１を組み立てた後でも歯車をハウジング４１に着脱できる。つまり、収容部によって歯車を抜け止めする場合は、外板４２に歯車を支持する固定軸を設け、内板４３に収容部を設けた構成であるため、歯車を着脱する際には内板４３を外板４２から取り外す、すなわち、ハウジング４１を分解する必要がある。一方、係止片８０で歯車を抜け止めする場合は、係止片８０を弾性変形させるだけでよく、ハウジング４１を分解する必要はない。したがって、メンテナンス頻度や交換頻度の高い歯車の場合には、歯車の抜け止めとハウジング４１の仮留めのために、係止片８０を設けることが好ましい。
【００４９】
また、ハウジング４１を筐体２の後板２ａに仮留めする際に、係止片８０は開口部７０の側に弾性変形するので、レジストローラー対駆動歯車５５の抜け止め状態は保たれている。すなわち、ハウジング４１の仮留め時にレジストローラー対駆動歯車５５が固定軸６０から脱落することを防止できる。
【００５０】
また、レジストローラー対駆動歯車５５が支持される固定軸６０の先端は、筐体２の後板２ａの開口３６に挿通されているので、固定軸６０の撓み等を抑制でき、レジストローラー対駆動歯車５５の回転を安定化できる。
【００５１】
さらに、係止片８０の第２の爪部８２は、後板２ａの開口３８の縁に係止されるので、  第２の爪部８２が係止される構造を簡易化できる。
【００５２】
なお、本実施形態では、駆動ユニット４０を筐体２に装着する場合について説明したので、駆動ユニット４０と筐体２とは最終的にはビス締結で固定する必要がある。しかし、例えば、歯車が片持ち式に支持されたベース部材に、騒音防止等のために歯車を覆うように軽量のカバー部材が設けられるような場合は、係止片８０で歯車を抜け止めすると共に、カバー部材をビス締結することなく係止片８０によってベース部材に係止させることもできる。あるいは、一対の対向するベース部材で形成されるハウジング等において、係止片８０によって歯車を抜け止めすると共に一対のベース部材を互いに連結することもできる。また、本実施形態では、レジストローラー対駆動歯車５５のみを係止片８０で抜け止めするように構成したが、各歯車を係止片８０で抜け止めするように構成することもできる。
【００５３】
さらに、本発明の実施形態では、プリンター１に本発明の構成を適用した場合について説明したが、他の異なる実施形態では、複写機、ファクシミリ、複合機等のプリンター１以外の画像形成装置に本発明の構成を適用しても良い。
【００５４】
さらに、上記した本発明の実施形態の説明は、本発明に係る駆動ユニット及び画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５５】
１  プリンター（画像形成装置）
２ａ  後板（第２のベース部材）
３６  開口（位置決め部）
３８  開口（開口部）
４０  駆動ユニット
４１  ハウジング（第１のベース部材）
５５  レジストローラー対駆動歯車（歯車）
６０  固定軸
８０  係止片
８１  第１の爪部
８２  第２の爪部
【図１】
2016180489.tif 000003
【図２】
2016180489.tif 000004
【図３】
2016180489.tif 000005
【図４】
2016180489.tif 000006
【図５】
2016180489.tif 000007
【図６】
2016180489.tif 000008
【図７】
2016180489.tif 000009
【図８】
2016180489.tif 000010